(57)【要約】【課題】取水口の水圧の損失を低減でき、設置が容易な雨水貯留タンクを提供する。【解決手段】竪樋から雨水を導入する雨水導入口、導入した雨水を取り出す取水口４、及び過剰に導入された雨水を排水するオーバーフロー用排水口を有するタンク本体２と、タンク本体２を支持する筒状の支持体２０とを備え、支持体２０の前面２０ａは、凹面２１を有し、支持体２０の前方に凹み２２を形成しており、タンク本体２の底面２ａに、支持体２０前方の凹み２２に臨む取水口４が下方に突出して設けられている。【選択図】図１
2011006911.tif 000002
【特許請求の範囲】
【請求項１】
竪樋から雨水を導入する雨水導入口、導入した雨水を取り出す取水口、及び過剰に導入された雨水を排水するオーバーフロー用排水口を有するタンク本体と、タンク本体を支持する筒状の支持体とを備え、支持体の前面は、凹面を有し、支持体の前方に凹みを形成しており、タンク本体の底面に、支持体前方の凹みに臨む取水口が下方に突出して設けられていることを特徴とする雨水貯留タンク。
【請求項２】
支持体に嵌挿される筒状の案内部がタンク本体の底面に形成されていることを特徴とする請求項１に記載の雨水貯留タンク。
【発明の詳細な説明】
【技術分野】
【０００１】
本発明は、雨水貯留タンクに関する。
【背景技術】
【０００２】
従来、雨水貯留タンクは、その前面の下部に取水口としてのＬ字状の蛇口を水平方向に突出させて設けている（例えば、特許文献１参照）。このような構成の雨水貯留タンクは、蛇口がＬ字状に折れ曲がっていることにより、水圧の損失が生じ、充分な流量の雨水が得られないという課題があった。また、利用者が雨水貯留タンクの前面に設けた蛇口からじょうろやバケツ等の容器に直接給水するためには、前記容器が配置可能なスペースを蛇口下方に確保する必要があり、そのために雨水貯留タンクをブロック等の台座の上に設置しなければならなかった。
【先行技術文献】
【特許文献】
【０００３】
【特許文献１】特開平１１−３２４０３１公報
【発明の概要】
【発明が解決しようとする課題】
【０００４】
本発明は以上の通りの事情に鑑みてなされたものであり、取水口の水圧の損失を低減でき、設置が容易な雨水貯留タンクを提供することを課題としている。
【課題を解決するための手段】
【０００５】
本発明は以下のことを特徴としている。
【０００６】
第１には、竪樋から雨水を導入する雨水導入口、導入した雨水を取り出す取水口、及び過剰に導入された雨水を排水するオーバーフロー用排水口を有するタンク本体と、タンク本体を支持する筒状の支持体とを備え、支持体の前面は、凹面を有し、支持体の前方に凹みを形成しており、タンク本体の底面に、支持体前方の凹みに臨む取水口が下方に突出して設けられている。
【０００７】
第２には、第１の発明において、支持体に嵌挿される筒状の案内部がタンク本体の底面に形成されている。
【発明の効果】
【０００８】
第１の発明によれば、タンク本体の底面に雨水の取水口が突出して設けられているので、Ｌ字状に折れ曲がっている従来の蛇口と比較して水圧の損失を低減して取水口から雨水を効果的に取り出すことができる。また、タンク本体内部の残水を最小限にとどめて取水口から雨水を取り出すことができるので、タンク内の雨水を有効に利用することができる。さらに、支持体の前方に凹みが形成され、その凹みに臨むように取水口が設けられているので、取水口の下方にじょうろやバケツ等の容器を配置して取水口から雨水を容器に直接給水することが可能である。したがって、じょうろやバケツ等の容器が使える高さと位置にブロック等を水平に積み上げて台座を組む等の雨水貯留タンクの足場を整えることが不要になり、設置が容易になる。
【０００９】
第２の発明によれば、上記第１の発明の効果に加え、タンク本体の底面に設けられた支持体に嵌挿される筒状の案内部によって、支持体とタンク本体との間にずれを生じさせることなく両者の連結が容易になる。また、雨水貯留タンクを地面に設置している状態においては、振動、風雨等によるタンク本体のずれ、脱落等を防止し、確実な連結が実現される。
【図面の簡単な説明】
【００１０】
【図１】本発明の雨水貯留タンクの一実施形態を示した斜視図である。
【図２】図１の雨水貯留タンクの設置状態を示した背面図である。
【図３】図１の雨水貯留タンクの分解斜視図である。
【発明を実施するための形態】
【００１１】
図１は、本発明の雨水貯留タンクの一実施形態を示した斜視図であり、図２は、図１の雨水貯留タンクの設置状態を示した背面図である。
【００１２】
本実施形態の雨水貯留タンク１は、竪樋３０からの雨水を貯留するタンク本体２と、このタンク本体２を支持する筒状の支持体２０を備え、支持体２０の上部にタンク本体２が連結される。
【００１３】
タンク本体２は、前面６ａと後面６ｄが平板形状を有し左右両側面６ｂ，６ｃが断面視半円形状の凸面を有する周側壁６と、平板形状の天板８及び底板７とで構成される樹脂成形品であり、断面視略楕円形状を有している。タンク本体２の天板８が蓋９となっており、周側壁６と底板７とよりなる上方に開口する有底筒状体の開口部分を被閉する。蓋９を取り外すことにより、タンク本体２内部を洗浄することができる。
【００１４】
タンク本体２の底面２ａには、後述する支持体２０前方の凹み２２に臨むように左右方向の略中央、前側に、タンク本体２内部と連通する長筒状の取水口４が底板７に略垂直に下方に突出して設けられており、コック１０を開けることによりタンク本体２内部の雨水を取り出せるようになっている。
【００１５】
タンク本体２の底面２ａには、さらにタンク本体２内部の雨水を排水するドレン１１（図３に図示）が設けられており、タンク本体２の水抜きを可能にしている。
【００１６】
タンク本体２の周側壁６の後面６ｄ上部には、背面側からみて右側に雨水導入口３が設けられ、左側にオーバーフロー用排水口５が設けられている。雨水導入口３はホース３１等の管を介して住宅の雨水流入系に連通されており、住宅の雨水流入系からタンク本体２に雨水が流れ込むようになっている。オーバーフロー用排水口５はホース３２等の管を介して住宅の雨水排水系に連通されており、タンク本体２の容量を超える雨水が雨水流入系からタンク本体２に流入した場合にはその過剰分の雨水がオーバーフロー用排水口５から雨水排水系に排水されるようになっている。本実施形態では、住宅の雨水流入系及び雨水排水系を竪樋３０として構成している。
【００１７】
筒状の支持体２０は、前面２０ａが断面視半円形状の凹面２１を有し、後面２０ｄが平板形状を有し、左右両側面２０ｂ，２０ｃが断面視半円形状の凸面を有している。このものはタンク本体２と同種の樹脂成形品であってもよいし、比重が高く高強度の樹脂あるいは金属材料等の無機材料で構成されるものであってもよい。本実施形態では、支持体２０は、その断面において後面２０ｄ及び左右両側面２０ｂ，２０ｃに対応する外周部分がタンク本体２断面のそれと略一致するように形成されており、支持体２０とタンク本体２が連結した状態においては、支持体２０の後面２０ｄ及び左右両側面２０ｂ，２０ｃの各々がタンク本体２の周側壁６の後面６ｄ及び左右両側面６ｂ，６ｃと面一又は略面一とされている。支持体２０前面２０ａの凹面２１は、高さ方向に支持体２０の上端から下端まで連続しており、支持体２０の前方、タンク本体２下方に半円柱形の凹み２２を形成し、じょうろやバケツ等の容器の水受部の配置を可能にしている。上述したタンク本体２の取水口４は、この凹み２２に臨むように設けられている。支持体２０の高さは、じょうろやバケツ等の容器の水受部よりも高くなるように設定されており、支持体２０前方に配置した容器の水受部をタンク本体２の取水口４の下方に配置することができる。
【００１８】
図３は、図１の雨水貯留タンクの分解斜視図である。
【００１９】
タンク本体２の底面２ａには、支持体２０に嵌挿される筒状の案内部１２が形成されている。この案内部１２は、支持体２０の内側形状に対応する形状及び大きさを有し、タンク本体２底面２ａの外周部１３の内側に垂直方向に突設されている。タンク本体２の案内部１２が支持体２０に嵌挿した状態において、支持体２０の上端２３がタンク本体２底面２ａの外周部１３に当接し、タンク本体２が支持体２０に支持される。このような案内部１２は、支持体２０との接続をより確実なものにするために、その高さが、例えば、支持体２０の全高に対して１／４程度もしくはそれ以上に設定されることが好ましい。
【００２０】
次に、本実施形態の雨水貯留タンク１の使用方法について説明する。図２に示したように、本実施形態の雨水貯留タンク１は地面４０に設置されるが、その際に、例えば、支持体２０をまず地面４０に設置し、次いでタンク本体２の案内部１２を支持体２０に嵌挿させ、支持体２０の上にタンク本体２を載せるようにする。もちろん、支持体２０とタンク本体２を一体化した状態で地面４０に設置してもよい。タンク本体２の雨水導入口３にはホース３１の一端が接続され、他端は竪樋３０の途中に設けられた雨水分岐部材３３の分岐部３４に接続される。雨水分岐部材３３は、降雨時、竪樋３０内を流下する雨水の一部を分岐部３４から竪樋３０の外部に流出させるものであり、雨水は、雨水分岐部材３３の分岐部３４に接続されたホース３１を介してタンク本体２に自然流入し、貯留される。タンク本体２のオーバーフロー用排水口５にはホース３２の一端が接続され、他端は竪樋３０の雨水分岐部材３３の下流に設けられる雨水合流部材３５の合流部３６に接続される。雨水合流部材３５は、竪樋３０外部の雨水を竪樋３０内を流下する雨水に合流させるものであり、タンク本体２の容量を超える雨水がタンク本体２に導入されると、その過剰分の雨水がオーバーフロー用排水口５に接続されたホース３２を介して雨水合流部材３５の合流部３６から竪樋３０に排水される。タンク本体２に貯留された雨水は、コック１０を開いて開栓することにより取水口４から自然流出し、所望量の雨水をじょうろやバケツ等の容器に取り出すことができる。必要に応じて取水口４にホースを取り付けてもよく、この場合、雨水貯留タンク１から離れた庭への散水や洗車に便利である。
【００２１】
本実施形態の雨水貯留タンク１は、上記のとおり、タンク本体２の底面２ａに雨水の取水口４が突出して設けられているので、従来のタンク本体の前面に設けられるＬ字状に折れ曲がっている蛇口と比較して水圧の損失を低減して取水口４から雨水を効果的に取り出すことができる。このようなタンク本体の前面にＬ字状の蛇口が設けられている雨水貯留タンクでは、タンク内の雨水の水面が蛇口よりも低くなった場合にタンク内の雨水を蛇口から取り出すことができず、タンクの底部に雨水が長期間滞留し、水質が悪化したり、泥、砂利等の堆積によって蛇口に詰まりが発生するという問題もあったが、本実施形態の雨水貯留タンク１ではこのような問題が生じない。また、タンク本体２内部の残水を最小限にとどめて取水口４から雨水を取り出すことができるので、タンク本体２内の雨水を有効に利用することができる。
【００２２】
また、支持体２０の前方の凹み２２に臨むように取水口４が設けられているので、取水口４の下方にじょうろやバケツ等の容器を配置して取水口４から雨水を容器に直接給水することが可能である。したがって、じょうろやバケツ等の容器が使える高さと位置にブロック等を水平に積み上げて台座を組む等の雨水貯留タンク１の足場を整えることが不要になり、設置が容易になる。また、見栄えがよく建物になじみやすいすっきりした外観を実現する等、意匠性に優れ、建物との調和が図れるという利点も有する。しかも本実施形態の雨水貯留タンク１は断面視略楕円形状を有し支持体２０前方に凹み２２を形成しているので、雨水貯留タンク１を地面に設置したときに長径方向に対する転倒のおそれがなく、また短径方向に対しても倒れにくくなっている。
【００２３】
さらにまた、タンク本体２の底面２ａに設けられた支持体２０に嵌挿される筒状の案内部１２によって、支持体２０とタンク本体２との間にずれを生じさせることなく両者の連結を容易にし、雨水貯留タンク１を地面に設置している状態においては、振動、風雨等によるタンク本体２のずれ、脱落等を防止し、確実な連結が実現される。
【符号の説明】
【００２４】
１  雨水貯留タンク
２  タンク本体
２ａ  底面
３  雨水導入口
４  取水口
５  オーバーフロー用排水口
１２  案内部
２０  支持体
２０ａ  前面
２１  凹面
２２  凹み
３０  竪樋
【図１】
2011006911.tif 000003
【図２】
2011006911.tif 000004
【図３】
2011006911.tif 000005